(57)【要約】 【課題】複数種類の活花などの植物を長距離輸送するとき、個々の植物の光合成に適した波長の光を提供できないため鮮度がおちる。【解決手段】活花などの植物を置く棚を複数設けて輸送するコンテナにおいて、コンテナ、又は、棚に、ＬＥＤ照明器具の左右両端を取り付けるための桟の対を複数設け、ＬＥＤ照明器具の両端には差込スリットを設け、当該ＬＥＤ照明器具の差込スリットをコンテナの設けた桟に挿入して着脱可能とすることにより、活花などの植物の光の波長に適するＬＥＤ照明器具を簡単に取り付け可能とする。【選択図】  図１
2010186565.tif 000002
【特許請求の範囲】
【請求項１】
ＬＥＤ照明器具を備え、活花などの植物を置く棚を複数段設けて、植物を輸送するコンテナにおいて、コンテナには、互いに平行な長尺状の桟の対を複数設け、ＬＥＤ照明器具は、その両端に差込スリットを設けた照明器具取り付け部を有し、その照明器具取り付け部の少なくとも一つに開閉金具を設け、照明器具取り付け部の差込スリットを、桟の対に挿入し、開閉金具で脱着可能に固定することにより、活花などの植物に適した光の波長のＬＥＤ照明器具を簡単に取り付け可能としたことを特徴とする植物輸送用コンテナ装置。
【請求項２】
前記棚の底裏には、長尺状の２つの桟を対で平行に設け、当該２つの桟に、照明器具取り付け部に設けた差込スリットを夫々挿入し、開閉金具で脱着可能にＬＥＤ照明器具を固定することを特徴とする請求項１に記載の植物輸送用コンテナ装置。
【請求項３】
コンテナの枠に、同じ高さの２つの長尺状のＬ字形バーを対で平行に配置し、そのＬ字形バーに、照明器具取り付け部に設けた差込スリットを夫々挿入し、開閉金具で脱着可能に照明器具を固定することを特徴とする請求項１に記載の植物輸送用コンテナ装置。
【請求項４】
前記ＬＥＤ照明器具の照明器具取り付け部の長さを調整することにより、コンテナの大きさに合わせて、ＬＥＤ照明器具を取り付け可能として請求項１に記載の植物輸送用コンテナ装置。
【発明の詳細な説明】
【技術分野】
【０００１】
活花等の植物を、鮮度を保ってトラック等で長距離輸送するためのコンテナ装置に関する。
【背景技術】
【０００２】
特許文献１には、常温で、活花などの植物を長距離輸送するときは、鮮度を保つため、発光ダイオード（ＬＥＤ）や冷陰極蛍光灯により植物を輸送する照明装置が開示されている。
【先行技術文献】
【特許文献】
【０００３】
【特許文献１】特開２００８−７３００２
【発明の概要】
【０００４】
活花などの植物をコンテナで輸送するときに、植物の鮮度を保持するために、光合成に必要な最適な波長の発光ダイオードを設け、ＬＥＤ照明器具を、工具なしで簡単に着脱できるコンテナ装置である。
【発明が解決しようとする課題】
【０００５】
活花などの植物の鮮度を向上させて、活花などの植物をコンテナで長距離輸送するためには、各植物が光合成に適する光の波長の照明器具を提供することが望ましいが、従来のコンテナによる輸送では、照明器具を変えることができるコンテナが提供されていないため、植物に適した光の波長の照明器具をコンテナに取り付けらないという課題があった。
【課題を解決するための手段】
【０００６】
本願発明では、活花などの植物を、植物の個体差を考慮して、長距離輸送を可能とするため、次の機能を実現する。
１．植物の光合成を促進する波長の発光ダイオードを用いたＬＥＤ照明器具を用いる。
２．コンテナには、植物を置くための棚を設け、コンテナの垂直方向の任意の位置に配置できる。
３．棚の裏にＬＥＤ照明器具を取り付けできる桟を設け、複数のＬＥＤ照明器具を任意の箇所、任意の間隔で簡単に取り付け可能な構造とする。
４．上下に組まれた複数段の棚間の空間ごとに、各棚に置く植物の光の波長にあったＬＥＤ照明器具を取り付ける。
５．ＬＥＤ照明器具は、コンテナの同じ高さの左右の桟、又は棚の底裏に設けた左右の桟に簡単に着脱可能な構造とする
６．コンテナの左右の枠に、専用取付けＬ字形バーを平行に左右、対で取り付け、ＬＥＤ照明器具を取り付け可能とする。
７．コンテナには自動車の電源プラグに接続から、充電又は直接電源を供給でき、３０Ｖ以下の低電圧の電力が供給できる低電圧電源供給装置を設ける。
【発明の効果】
【０００７】
複数種類の生花などの植物をコンテナで輸送するとき、夫々の植物の成長個体差に応じた、波長の発光ダイオードのＬＥＤ照明器具を簡単に取り付できるので、上下に組まれた複数段の棚間の空間ごとに、各棚に置く植物の光の波長にあったＬＥＤ照明器具を取り付けることができるので、複数種の植物を鮮度を保持して長距離搬送できる。
【図面の簡単な説明】
【０００８】
【図１】ＬＥＤ照明器具付コンテナの構成
【図２】ＬＥＤ照明器具の取り付け構成（ａ）全体構成  （ｂ）照明器具取り付部（留め金具側）の構造（縦側）（ｃ）照明器具取り付部（留め金具側）の構造（横側）
【図３】ＬＥＤ照明器具の取り付け方法（ａ）  開閉金具（開いた状態）（ｂ）右側の棚裏桟へのＬＥＤ照明器具の差込（ｃ）左側の棚裏桟へのＬＥＤ照明器具の差込（ｄ）開閉金具（閉じた状態）
【発明を実施するための形態】
【０００９】
以下に、本発明の実施形態を図に基づいて説明する。
【実施例】
【００１０】
図１は植物輸送用コンテナ１の構成で、上記コンテナの骨格となるコンテナ枠１１、後述する簡単に取替え可能なＬＥＤ照明器具２、活花などの植物を置くためコンテナの棚3、及び、低電圧電源供給装置１３、活花などの植物５からなる。
コンテナは四角の形状で、垂直に設け４つの枠１１には、金具止用孔１２が等間隔で設けられている。棚３を同じ高さの金具止用孔１２に引っ掛けることで、棚３を任意の高さで水平に固定し、その上に活花などの植物を置くことができる。
活花などの植物５を置く棚３は、植物を置くための四角い平板の棚板３１、前記コンテナの枠１１に設けた金具止用孔１２に引っ掛けて棚３を固定するための棚金具３２、及び、棚板３１の底の裏側にＬＥＤ照明器具２を取り付けるのに使用する左右、平行に設けた長尺状の２つの棚裏桟３３からなる。
コンテナ枠１１には、図１に示すように、同じ高さの長尺状のＬ字形バー４を２つ、平行に対で取り付け、夫々のＬ字形バー（水平面）をＬＥＤ照明器具の差込スリットに挿入しＬＥＤ照明器具を取り付けることができる。
このように、コンテナには、棚の底裏、枠に取り付けたＬ字形バー等により、ＬＥＤ照明器具を取り付けるため、長尺状の桟が平行に対で、複数個設置されている。
低電圧電源供給装置４は、車両のバッテリ等とは電源コード１３１で接続されており、３０Ｖ以下の低電圧の電力を効率よくＬＥＤ照明器具に供給する。
【００１１】
図２は、取替え可能なＬＥＤ照明器具２の構成を示す。図２（ａ）に示すようにＬＥＤ照明器具２は、複数のＬＥＤ２１１を基板２１２に実装したＬＥＤ部２１と、ＬＥＤ照明器具２を簡単に着脱するため、ＬＥＤ部２１の両端に設けた２つの照明器具取り付部２２ａ、２２ｂからなる。
照明器具取り付部２２ａは図２（ｂ）と図２（c）で示すように，凹状の差込スリット２２ａ_１，ばね２２ａ_２，固定金具２２ａ_３，開閉金具２２ａ_４から構成され、２２ｂは、図２（ａ）で示すように、差込スリット２２b_１、電源コード２２ｂ_２から構成される。
２２ａ_４を開閉することにより２２ａ_３が２２ａ_２のバネによって上下し、２２ａ_１のスリットの幅が狭くなると固定、広くなると取り外すことができる。
開閉金具２２ａ_４を、照明器具取り付部２２ａにも設け、両端で固定することにより、より安全な取り付けができる。
【００１２】
図３は、棚裏桟３１へのＬＥＤ照明器具２の取り付け方法を示す。
まず、図３（ａ）のように２２ａの開閉金具２２ａ_４を開け、図３（ｂ）のようにＬＥＤ照明器具の差込スリット２２b_１を右側の棚裏桟３３に差込み、次に図３（ｃ）に示すように、ＬＥＤ照明器具のスリット２２ａ_１を左側の棚裏桟３３に差し込み。照明器具取り付け部２２aと２２ｂを左右にスライドさせて任意の位置に移動させる。
図３（ｄ）のように、開閉金具２２ａ_４を閉めることにより、ＬＥＤ照明器具２を棚３の棚板３１の底の裏側に工具なしで簡単に固定することができる。
なお、コンテナの枠間の長さは、コンテナ毎に異なるので、照明器具取り付け部２２に長さ調整機構を設けるのがよい。これは、例えば、照明器具取り付け部２２を、内側円柱枠と外部円柱枠からなる、外部円柱枠が内側円柱枠に対してスライド可能な二重構造にし、外部円柱枠に差込スリットを設け、外部円柱枠を内部円柱枠に対して外に延伸し、外部円柱枠を内部円柱枠にネジ等で固定することによりコンテナ枠間が標準より長い場合にも対応できる。
【産業上の利用可能性】
【００１３】
活花などの植物の個々の成長に適する発光ダイオードを搭載したＬＥＤ照明器具を簡単にコンテナに取り付け可能にしたので、植物の鮮度を保持できるトラック、船舶、鉄道、飛行機による植物長距離輸送システムを構築できる。
【符号の説明】
【００１４】
１  植物輸送用コンテナ装置
１１コンテナの枠
１２金具止用孔
１３低電圧電源供給装置
２  ＬＥＤ用照明器具
２１  ＬＥＤ部
２１１  ＬＥＤ
２１２  基板
２２  照明器具取り付部
２２ａ  照明器具取り付部（留め金具側）
２２ａ_１    差込スリット
２２ａ_２    ばね
２２ａ_３    固定金具
２２ａ_４    開閉金具
２２ｂ  照明器具取り付部（電源側）
２２ｂ_１  差込スリット
２２ｂ_２  電源コード
３  コンテナの棚
３１  棚板
３２  棚金具
３３  棚裏桟
４  Ｌ字形バー
５  活花などの植物
【図１】
2010186565.tif 000003
【図２】
2010186565.tif 000004
【図３】
2010186565.tif 000005
【手続補正書】
【提出日】平成21年3月24日(2009.3.24)
【手続補正１】
【補正対象書類名】特許請求の範囲
【補正対象項目名】全文
【補正方法】変更
【補正の内容】
【特許請求の範囲】
【請求項１】
ＬＥＤ照明器具を備え、活花などの植物を置く棚を複数段設けて、植物を輸送するコンテ
ナにおいて、コンテナは四角の形状で、垂直に設け４つの枠には、金具止用孔を等間隔で設け、棚を同じ高さの金具止用孔に引っ掛けることで、棚を任意の高さで水平に固定し、棚板の底の裏側にＬＥＤ照明器具を取り付けるのに使用する左右、平行に設けた長尺状の２つの棚裏桟を設け、ＬＥＤ照明器具は、その両端に差込スリットを設けた照明器具取り付け部を有し、その照明器具取り付け部の少なくとも一つに開閉金具を設け、照明器具取り付け部の差込スリットを、桟の対に挿入し、開閉金具で脱着可能に固定することにより、活花などの植物に適した光の波長のＬＥＤ照明器具を簡単に取り付け可能としたことを特徴とする植物輸送用コンテナ装置。